(57)【要約】【課題】  ユーザーがＥＶＦを用いて撮影を行った場合、撮影直後に行うＥＶＦ内での撮影画像確認を有効に使うことができる撮像装置を提供することである。【解決手段】本発明の一側面としての撮像装置は、  第一の表示装置と、第二の表示装置と、接眼検知手段と、非接眼状態で撮影を行った場合、撮影直後に前記第一の表示装置に撮影画像を一定時間表示する制御手段と、撮影画像評価手段と、接眼状態で撮影を行った場合、撮影画像が所定の評価条件を満たした場合のみ、撮影直後に前記第二の表示装置に撮影画像を一定時間表示する制御手段と、を有することを特徴とする構成とした。【選択図】図１
2018113532.tif 000002
【特許請求の範囲】
【請求項１】
第一の表示装置（２８）と、
第二の表示装置（３０）と、
接眼検知手段（５７）と、
非接眼状態で撮影を行った場合、撮影直後に前記第一の表示装置に撮影画像を一定時間表示する制御手段（５０）と、
撮影画像評価手段（５０）と、
接眼状態で撮影を行った場合、撮影画像が所定の評価条件を満たした場合のみ、撮影直後に前記第二の表示装置に撮影画像を一定時間表示する制御手段（５０）と、
を有する撮像装置（１００）。
【請求項２】
前記撮影画像評価手段において、画像内の直線成分を検出し、直線成分が画像に対して水平かどうかを評価することを特徴とする請求項1に記載の撮像装置（１００）。
【請求項３】
前記撮影画像評価手段において、画像内の測距点付近の合焦度合いを評価することを特徴とする請求項1に記載の撮像装置（１００）。
【請求項４】
前記撮影画像評価手段において、画像内の白とび、黒つぶれ部分を検出し露出設定が適切かを評価することを特徴とする請求項1に記載の撮像装置（１００）。
【請求項５】
前記撮影画像評価手段において、被写体光源のフリッカー成分を検出し、フリッカー検出状態に対してカメラ設定が適切かを評価することを特徴とする請求項1に記載の撮像装置（１００）。
【請求項６】
前記撮影画像評価手段において、画像内の人物が目をつぶっていないかを評価することを特徴とする請求項1に記載の撮像装置（１００）。
【請求項７】
前記撮影画像評価手段の評価結果が所定の条件を満たす場合、前記第二の表示装置において一部に撮影画像を表示し、一部にはライブビュー画像を表示することを特徴とする請求項1に記載の撮像装置（１００）。
【請求項８】
前記撮影画像評価手段の評価結果が所定の条件を満たす場合、画像の評価に応じた警告表示を撮影画像表示とともに行うことを特徴とする請求項1に記載の撮像装置（１００）。
【請求項９】
所定の評価条件を満たしていない場合、前記第２の表示装置にライブビュー画像を継続的に表示し、非接眼状態へ移行した際に、接眼状態時に撮影された撮影画像を一定時間表示することを特徴とする請求項1に記載の撮像装置（１００）。
【発明の詳細な説明】
【技術分野】
【０００１】
本発明は、デジタルカメラ等の撮像装置に関し、特に電子ビューファインダーと背面ディスプレイが設けられた撮像装置に関するものである。
【背景技術】
【０００２】
デジタル一眼レフカメラは、被写体の構図確認のための接眼ファインダーと、撮影した画像の表示やライブビュー表示、各種設定を行うための背面ディスプレイを備えているものがある。近年、接眼ファインダーに電子ビューファインダー（ＥＶＦ）を搭載しているデジタルカメラが増えてきている。ＥＶＦを搭載したカメラでは、ファインダー内に被写体のみでなく、様々な画面を表示できるため、接眼したまま設定変更等が容易に出来る。また、撮影後の画像確認もファインダーを接眼したまま可能となる。
【０００３】
しかし、ＥＶＦで画像確認を行うと、撮影後すぐに被写体を確認することが出来ず、次の撮影への妨げとなる可能性がある。また、ＥＶＦは小さいため詳細な画像確認が難しいことや、これまでの光学ファインダー（ＯＶＦ）に慣れていることから画像確認は背面ディスプレイ（ＬＣＤ）で行うユーザーが多いと予測できる。しかし、ＥＶＦでは撮影直後の画像確認ができることはＯＶＦに対するメリットでもある為、有効に活用したい。特許文献１で、撮影時に接眼している場合はＥＶＦにライブビュー画像を表示し、非接眼状態となった時にＬＣＤに直前の撮影画像を表示する手法が開示されている。
【先行技術文献】
【特許文献】
【０００４】
【特許文献１】特開２００３−３０９７４５号公報
【発明の概要】
【発明が解決しようとする課題】
【０００５】
しかしながら、上述の特許文献に開示された従来技術では、ＥＶＦで撮影直後の撮影画像確認をするかしないかのどちらかしか選択肢がない。また、ＥＶＦで撮影直後の撮影画像確認を行わないように選択した場合、ＯＶＦと同じ様な使い方になりＥＶＦの特長を有効に活用できていない。
【０００６】
そこで、本発明の目的は、ユーザーがＥＶＦを用いて撮影を行った場合、撮影直後に行うＥＶＦ内での撮影画像確認を有効に使うことができる撮像装置を提供することである。
【課題を解決するための手段】
【０００７】
上記目的を達成するために、本発明は、
第一の表示装置と、
第二の表示装置と、
接眼検知手段と、
非接眼状態で撮影を行った場合、撮影直後に前記第一の表示装置に撮影画像を一定時間表示する制御手段と、
撮影画像評価手段と、
接眼状態で撮影を行った場合、撮影画像が所定の評価条件を満たした場合のみ、撮影直後に前記第二の表示装置に撮影画像を一定時間表示する制御手段と、
を有することを特徴とする撮像装置である。
【発明の効果】
【０００８】
本発明によれば、ユーザーがＥＶＦを用いて撮影を行った場合、撮影直後に行うＥＶＦ内での撮影画像確認を有効に使うことができる撮像装置を提供することができる。
【図面の簡単な説明】
【０００９】
【図１】本発明の実施例に係るデジタルカメラの処理動作を示すフローチャートである。
【図２】本発明の実施例に係るデジタルカメラの外観図である。
【図３】本発明の実施例に係るデジタルカメラの構成を示すブロック図である。
【図４】本発明の実施例に係るクイックレビュー表示方法の例を示す図である。
【発明を実施するための形態】
【００１０】
以下、図面を参照して本発明の好適な実施形態を説明する。図２（ａ）、（ｂ）に本発明の撮像装置の一例としてのデジタルカメラの外観図を示す。図２（ａ）はデジタルカメラ１００の前面斜視図であり、図２（ｂ）はデジタルカメラ１００の背面斜視図である。図２において、背面表示部２８は画像や各種情報を表示する、カメラ背面に設けられた表示部である。接眼ファインダー１６はファインダー内に配置された表示部を観察することで、ライブビュー画像や各種情報画面の確認を行うための覗き込み型のファインダーである。
【００１１】
ファインダー外表示部４３は、カメラ上面に設けられた表示部であり、シャッター速度や絞りをはじめとするカメラの様々な設定値が表示される。シャッターボタン６１は撮影指示を行うための操作部である。モード切替スイッチ６０は各種モードを切り替えるための操作部である。端子カバー４０は外部機器との接続ケーブルとデジタルカメラ１００とを接続する接続ケーブル等のコネクタ（不図示）を保護するカバーである。メイン電子ダイヤル７１は回転操作部材であり、このメイン電子ダイヤル７１を回すことで、シャッター速度や絞りなどの設定値の変更等が行える。
【００１２】
電源スイッチ７２はデジタルカメラ１００の電源のＯＮ及びＯＦＦを切り替える操作部材である。サブ電子ダイヤル７３は回転操作部材であり、選択枠の移動や画像送りなどを行える。十字キー７４は、上、下、左、右部分をそれぞれ押し込み可能な十字キー（４方向キー）である。十字キー７４の押した部分に応じた操作が可能である。決定ボタン７５は押しボタンであり、主に選択項目の決定などに用いられる。ＬＶボタン７６は、メニューボタンにおいてライブビュー（以下、ＬＶ）のＯＮとＯＦＦを切り替えるボタンである。動画撮影モードにおいては、動画撮影（記録）の開始、停止の指示に用いられる。
【００１３】
拡大ボタン７７は、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は、拡大された再生画像の拡大率を低減させ、表示された画像を縮小させるためのボタンである。再生ボタン７９は、撮影モードと再生モードとを切り替える操作ボタンである。撮影モード中に再生ボタン７９を押下することで再生モードに移行し、記録媒体２００に記録された画像のうち最新の画像を背面表示部２８あるいは接眼ファインダー１６に表示させることができる。
【００１４】
通信端子１０はデジタルカメラ１００がレンズ側（着脱可能）と通信を行う為の通信端子である。蓋２０２は記録媒体２００を格納したスロットの蓋である。グリップ部９０は、ユーザーがデジタルカメラ１００を構えた際に右手で握りやすい形状とした保持部である。
【００１５】
図３は、本実施形態によるデジタルカメラ１００の構成例を示すブロック図である。図３において、レンズユニット１５０は、交換可能な撮影レンズを搭載するレンズユニットである。
【００１６】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００１７】
シャッター１０１は、システム制御部５０の制御で撮像部２２の露光時間を自由に制御できるフォーカルプレーンシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１８】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１９】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２０】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９あるいは２０を介して背面表示部２８あるいはファインダー表示部３０により表示される。背面表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、背面表示部２８に逐次転送して表示することで、スルー画像表示（ライブビュー表示）を行える。
【００２１】
ファインダー表示部３０は、ＬＣＤ等の表示器上に、Ｄ／Ａ変換器２０からのアナログ信号に応じた表示を行う。Ａ／Ｄ変換器２３によって一度Ａ／Ｄ変換されメモリ３２に蓄積されたデジタル信号をＤ／Ａ変換器２０においてアナログ変換し、ファインダー表示部３０に逐次転送して表示することで、電子ビューファインダーとして機能する。ユーザーは、ファインダー１６を介して、ファインダー表示部３０を観察することで、レンズユニット１５０を通して得た被写体像や構図、カメラ設定等の確認が可能となる。
【００２２】
ファインダー外液晶表示部４３には、ファインダー外表示部駆動回路４４を介して、シャッター速度や絞りをはじめとするカメラの様々な設定値が表示される。不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２３】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１９および２０、背面表示部２８、ファインダー表示部３０等を制御することにより表示制御も行う。システムタイマー５３は各種制御に用いる時間や、内蔵された時計の時間を計測する計時部である。
【００２４】
モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。
【００２５】
モード切替スイッチ６０で、メニューボタンに含まれるこれらのモードのいずれかに直接切り替えられる。あるいは、モード切替スイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。
【００２６】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２７】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２８】
操作部７０の各操作部材は、背面表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が背面表示部２８に表示される。ユーザーは、背面表示部２８に表示されたメニュー画面と、上下左右の４方向ボタンや決定ボタンとを用いて直感的に各種設定を行うことができる。
【００２９】
操作部７０は、ユーザーからの操作を受け付ける入力部としての各種操作部材である。操作部７０には、少なくとも以下の操作部が含まれる。メイン電子ダイヤル７１、電源スイッチ７２、サブ電子ダイヤル７３、十字キー７４、決定ボタン７５、ＬＶボタン７６、拡大ボタン７７、縮小ボタン７８、再生ボタン７９。
【００３０】
なお操作部７０とは別に、背面表示部２８に対する接触を検知可能なタッチパネル２７を有する。タッチパネル２７と背面表示部２８とは一体的に構成することができる。例えば、タッチパネル２７を光の透過率が背面表示部２８の表示を妨げないように構成し、背面表示部２８の表示面の上層に取り付ける。そして、タッチパネル２７における入力座標と、背面表示部２８上の表示座標とを対応付ける。これにより、恰もユーザーが表示部２８上に表示された画面を直接的に操作可能であるかのようなＧＵＩ（グラフィカルユーザーインターフェース）を構成することができる。システム制御部５０はタッチパネル制御部２６を介してタッチパネル２７への操作、あるいは状態を検出できる。
【００３１】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３２】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３３】
通信部５４は、無線または有線ケーブルによって接続し、映像信号や音声信号の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００３４】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加することや、画像を回転して記録することが可能である。姿勢検知部５５としては、加速度センサーやジャイロセンサーなどを用いることができる。
【００３５】
接眼検知部５７は赤外発光体、受光回路で構成されており、一定間隔で赤外光を発光し、対象物で反射した光量を測定することで、既定位置に対象物が近接しているか否かを検知する。これにより、ユーザーが接眼したか否かを判別できる。
【００３６】
［実施例１］
以下、図１を参照して、本発明の実施例による、デジタルカメラの制御方法について説明する。本実施例では、ユーザーが電子ビューファインダー（以下、ＥＶＦ）と背面ディスプレイ（以下、ＬＣＤ）を有するデジタルカメラで撮影を行った際における、撮影直後の画像確認（以下、クイックレビュー）の制御に関する手順を示す。図１はデジタルカメラのＥＶＦ、ＬＣＤにおけるクイックレビュー制御のフローチャートである。このフローチャートおける各処理は、システム制御部５０が不揮発性メモリ５６に格納されたプログラムをシステムメモリ５２に展開して実行することにより実現される。
【００３７】
ステップＳ１０１では、接眼検知部５７は既定位置に対象物が近接しているか否かを検知し、検知結果をシステム制御部５０に通知する。システム制御部５０は該検知結果を受信し、ユーザーが接眼したか否かを判断する。ただし、接眼検知部５７ではなく、接眼ファインダーへの切り替えスイッチのオンでも良い。ユーザーがデジタルカメラに接眼したと判断された場合は、ステップＳ１０２に進み、接眼していないと判断された場合は、ステップＳ１２１に進む。以降、ステップＳ１０２〜Ｓ１１５にてＥＶＦにおけるクイックレビューの制御を説明し、ステップＳ１２１〜Ｓ１２５にてＬＣＤにおけるクイックレビューの制御を説明する。
【００３８】
まず、ＥＶＦにおけるクイックレビューの制御を説明する。ステップＳ１０２では、撮像部２２で撮影したライブビュー画像をＥＶＦに表示する。このとき、ライブビュー画像に絞り値やシャッタースピード値、ＩＳＯ値等のカメラ設定を重畳して表示しても良い。また、ユーザーにより第一シャッタースイッチ６２（以下、ＳＷ１）が押下された場合は、ＡＦ（オートフォーカス）処理、ＡＥ（自動露出）処理、ＡＷＢ（オートホワイトバランス）処理、ＥＦ（フラッシュプリ発光）処理等の動作を開始する。
【００３９】
ステップＳ１０３では、ユーザーが撮影指示を行ったかどうかを判定する。撮影指示は第二シャッタースイッチ６４（以下、ＳＷ２）を押下されたときとする。ユーザーにより撮影指示がなされたと判定した場合はステップＳ１０４に進み、されていないと判定した場合はステップＳ１０１に戻り、接眼状態が継続しているか、離眼したかを判定する。
【００４０】
ステップＳ１０４では、撮影指示により撮影画像の取得を行う。システム制御部５０は、撮像部２２からの信号読み出しから記録媒体２００に画像データを書き込むまでの一連の撮影処理の動作を実行する。ステップＳ１０５では、撮影画像の評価値を算出する。撮影画像の評価値とは、撮影画像の水平度合いやピント、露出等がユーザーの意図に合致しているかを評価した値とし、評価値が低いほどユーザーの意図していない画像（失敗画像）であることとする。詳細な評価内容は後述する。
【００４１】
ステップＳ１０６では、ステップＳ１０５で算出した評価値が閾値以下であるか否かを判定する。撮影画像の評価値が閾値以下、つまり撮影画像が失敗画像であると判定された場合はステップＳ１０７に進み、ＥＶＦにクイックレビューを表示する。一方、評価値が閾値より大きい、つまり撮影画像が成功画像であると判定された場合はステップＳ１０８〜１０９に進みＥＶＦでのクイックレビューは行わず、ライブビューを表示する。撮影画像が成功画像である場合にクイックレビューを行わないのは、クイックレビューにより次の撮影を阻害されることを防ぐためである。
【００４２】
従来の一眼レフカメラの多くに用いられた光学ファインダーは撮影直後に被写体が確認できるが、ＥＶＦではクイックレビューを行うことも出来る。しかし、すべての撮影後にクイックレビューを行うと、光学ファインダーに慣れたユーザーは次の撮影にすぐに移りにくいと感じると推測できる。ただし、撮影画像が失敗である場合は、ユーザーが撮り直したいと思う可能性が高いため、クイックレビューを表示することにより再撮影の必要性をユーザーに知らせる。
【００４３】
ステップＳ１０７では、ステップＳ１０６で撮影画像が失敗画像と判定された場合に、ＥＶＦにクイックレビューを行う。このとき、撮影画像をそのまま表示するのではなく、失敗内容をユーザーに知らせる表示方法とするのが好ましい。詳細は後述する。また、ユーザーの次の撮影を阻害しない為に、小さなクイックレビュー画像をライブビュー画像に重畳して表示してもよい。クイックレビューの表示時間は、メニュー等からユーザーが決められ、またクイックレビュー中にＳＷ１等の操作を行った場合は、クイックレビューを終了する。
【００４４】
ステップＳ１０８では、ステップＳ１０６で撮影画像が成功画像であると判定された場合に、ＬＣＤクイックレビューフラグを立てる。このＬＣＤクイックレビューフラグは後に離眼した際にＬＣＤでクイックレビューを行う必要があるかを判断するために用いる。ＬＣＤクイックレビューフラグは、画像ごとに設定できると好ましい。ステップＳ１０９では、ステップＳ１０２同様に、撮像部２２で撮影したライブビュー画像をＥＶＦに表示し、ステップＳ１１０に進む。
【００４５】
ステップＳ１１０では、ユーザーが撮影直後に接眼状態を継続しているか、離眼しているかを判定する。接眼を継続している場合はステップＳ１１１に進み、離眼している場合はステップＳ１１２に進む。ステップＳ１１２では、ＬＣＤクイックレビューフラグが立っている画像があるかを確認する。ＬＣＤクイックレビューフラグが立っている画像が存在する場合はステップＳ１１３に進み、立っていない場合はステップＳ１１５に進む。
【００４６】
ステップＳ１１３では、ステップＳ１１２でＬＣＤクイックレビューフラグが立っている画像が存在すると判定した場合、ＬＣＤにＬＣＤクイックレビューフラグが立っている画像を表示する。複数枚ある場合は、撮影時間が古いものから表示していくのが好ましい。ＬＣＤクイックレビューフラグが立っているのは、撮影画像が成功画像と判定されＥＶＦでクイックレビューを行っていない画像である。ユーザーが確認を行っていない画像なので、離眼した際にＬＣＤに表示をして確認できるようにすると利便性が高いと考えられる。クイックレビューを行った後、ステップＳ１１４に進む。
【００４７】
ステップＳ１１４では、ＬＣＤクイックレビューフラグをクリアし、ステップＳ１１５に進む。ステップＳ１１５では、撮像部２２で撮影したライブビュー画像をＬＣＤに表示し、ステップＳ１１１に進む。ステップＳ１１１では、ユーザーがカメラの電源をオフしたかどうかを判定する。電源がオフされない場合はステップＳ１０１に戻り、ユーザーが接眼しているか否かを判定し、電源がオフされた場合は、フローを終了する。
【００４８】
次に、ＬＣＤにおけるクイックレビューの制御を説明する。ステップＳ１０１でユーザーが接眼していないと判定された場合、ステップＳ１２１に進む。ステップＳ１２１では、撮像部２２で撮影したライブビュー画像をＬＣＤに表示する。このとき、ライブビュー画像に絞り値やシャッタースピード値、ＩＳＯ値等のカメラ設定を重畳して表示しても良い。また、ユーザーによりＳＷ１が押下された場合は、ＡＦ（オートフォーカス）処理、ＡＥ（自動露出）処理、ＡＷＢ（オートホワイトバランス）処理、ＥＦ（フラッシュプリ発光）処理等の動作を開始する。
【００４９】
ステップＳ１２２では、ユーザーが撮影指示を行ったかどうかを判定する。撮影指示はＳＷ２を押下されたときとする。ユーザーによりＳＷ２が押下された場合はステップＳ１２３に進み、されていない場合はステップＳ１０１に戻り、接眼状態が継続しているか、離眼したかを判定する。ステップＳ１２３では、撮影指示により撮影画像の取得を行う。システム制御部５０は、撮像部２２からの信号読み出しから記録媒体に画像データを書き込むまでの一連の撮影処理の動作を実行する。
【００５０】
ステップＳ１２４では、ＬＣＤにクイックレビューを行う。接眼状態は失敗画像のみクイックレビューを行うが、離眼時はすべての画像でクイックレビューを行う。なぜなら、離眼時は直接被写体を確認することができるので、クイックレビューを表示しても次の撮影への影響は小さいと考えたためである。クイックレビューの表示時間は、メニュー等からユーザーが決められ、またクイックレビュー中にＳＷ１等の操作を行った場合は、クイックレビューを終了する。
【００５１】
ステップＳ１２５では、ステップＳ１２１同様に、撮像部２２で撮影したライブビュー画像をＬＣＤに表示し、ステップＳ１１１に進む。ステップＳ１１１では、ユーザーがカメラの電源をオフしたかどうかを判定する。電源がオフされない場合はステップＳ１０１に戻り、ユーザーが接眼しているか否かを判定し、電源がオフされた場合は、フローを終了する。以上で、デジタルカメラ１００のＥＶＦ、ＬＣＤにおけるクイックレビュー制御のフローチャートの説明を終える。
【００５２】
次に、ＥＶＦにおけるクイックレビューを行うかどうかを判定するための撮影画像の評価方法の例とＥＶＦにおけるクイックレビュー表示方法の例について図４を用いて説明する。
【００５３】
ステップＳ１０６でＥＶＦにクイックレビューを行うかどうかを判定するために、ステップＳ１０５で撮影画像の評価値を取得する。評価値によって、撮影画像が失敗画像であると判定された場合、ステップＳ１０７でＥＶＦにクイックレビューを行う。その際、失敗内容に応じたクイックレビューを行っても良い。そこで、下記に撮影画像の評価の例とそれに対するクイックレビューの方法を挙げる。
【００５４】
１．撮影画像内の直線成分が水平かどうか
水平線や地平線を含む風景を撮影する際、水平線、地平線が水平であることが好ましい。そのためデジタルカメラには水準器を搭載しているものが多い。直線成分が含まれる風景を撮影した際に、水準器の出力により、撮影画像の評価値を算出し、水平であるほど高い評価値を撮影画像に付与する。また、画像処理により撮影画像内の直線成分を検出し、画像に対して水平か否かを判定しても良い。撮影時に水平をとれず失敗写真であると判定した場合、図４（ａ）のようにクイックレビュー画像に水平の線（補助線）を重畳し、ユーザーに再撮影を促す。また、再撮影に移行した場合、ライブビュー画像に補助線を重畳し、ガイダンスとしても良い。
【００５５】
２．測距点付近の被写体にピントが合っているか
スポーツシーンや動物等の動きの大きい被写体を撮影する際、測距点付近の被写体でもピントが合わない場合がある。そのような撮影シーンの場合、合焦度合いを測距点付近の画像信号の周波数成分により評価を行い、高周波であるほど高い評価値を撮影画像に付与する。ピントが合っていないと判定された場合、図４（ｂ）のようにクイックレビュー時に測距点とともに画像を表示することにより、ユーザーに失敗であることを知らせる。
【００５６】
３．露出が最適であるか
被写体に明るい部分や暗い部分が含まれている場合、白とびや黒つぶれが生じる場合がある。そのようなシーンにおいて、撮影画像の白とびや黒つぶれ部分の面積によって評価値を算出し、白とびや黒つぶれの部分がないほど高い評価値を撮影画像に付与する。露出が最適でないと判断された場合、白とび警告や黒つぶれ警告とともにクイックレビューを行うことにより、ユーザーに失敗であることを知らせる。
【００５７】
４．フリッカーの影響を受けているか
高速秒時で撮影を行う場合、照明環境によって撮影画像にフリッカーの影響を受ける場合がある。そのため、デジタルカメラにフリッカー検知手段とフリッカー低減機能を有するものがある。フリッカー検知手段によりフリッカーの影響を受ける環境であることを検知し、フリッカー低減機能がオフとなっている場合、図４（ｃ）のようにフリッカー警告表示とともにクイックレビューを行うことにより、ユーザーにフリッカー低減機能をオンにすることを促す。
【００５８】
５．被写体が目つぶりをしているか
人物撮影を行う際に、シャッタータイミングに被写体人物がたまたま目をつぶってしまうことがある。そのため、デジタルカメラには画像処理により目をつぶっているかを判定する機能を有するものがある。目をつぶっていると判定された場合は、図４（ｄ）のように目つぶり警告とともにクイックレビューをすることでユーザーに知らせ、再撮影を促す。
【００５９】
以上のように、本実施例によればユーザーが撮影直後に撮影画像を確認したいとき、例えば失敗画像であるときのみＥＶＦで撮影画像を表示し、撮影直後に画像確認が必要でない場合はすぐに被写体を確認できる撮像装置を提供することができる。また、本実施例では失敗画像のときにクイックレビューをすることとしたが、失敗画像は本実施例に示したものに限定されるものではなく、他に被写体がぶれた写真等、種々のケースが含まれる。
【符号の説明】
【００６０】
２８：背面表示部、３０：ファインダー表示部、５０：システム制御部、５５：姿勢検知部、５７：接眼検知部、１００：デジタルカメラ
【図１】
2018113532.tif 000003
【図２】
2018113532.tif 000004
【図３】
2018113532.tif 000005
【図４】
2018113532.tif 000006